(57)【特許請求の範囲】
【請求項１】
パーソナルケア製品（１８０）を収容及び供給するための本体（１０２）であって、第１の断面形状（１０４）を有し、かつ使用者の手によって把持可能である本体（１０２）と、
前記本体（１０２）の一端に結合されて配置されたアプリケーター（１２４）と
を具え、パーソナルケア製品（１８０）を使用者の皮膚に塗布するための容器（１００）であって、
前記アプリケーター（１２４）は、第２の断面形状（１２８）と表面模様（１４４）とを有する筒形の皮膚接触部（１２６）を含み、
前記第１の断面形状（１０４）及び前記第２の断面形状（１２８）のそれぞれが、第１の軸線に沿って指向させた主寸法（１０６，１３０）と、第２の軸線に沿って指向させた副寸法（１０８，１３２）とを有し、前記主寸法（１０６，１３０）が前記副寸法（１０８，１３２）よりも大きく、
前記アプリケーターの反対側で前記本体に取り付けられるブレンド用具をさらに具えたことを特徴とする容器（１００）。
【請求項２】
前記本体（１０２）の前記第１の軸線が前記皮膚接触部（１２６）の前記第１の軸線と実質的に整列することを特徴とする請求項１に記載の容器（１００）。
【請求項３】
前記表面模様（１４４）が複数の不連続なドットか、連続マトリックスか、又はこれらの組み合わせの形態にあることを特徴とする請求項１または請求項２に記載の容器（１００）。
【請求項４】
前記表面模様（１４４）が複数の開口と、複数の凸部と、複数の凹部と、これらの組み合わせとからなるグループから選択される表面造作を含むことを特徴とする請求項１から請求項３のいずれか一項に記載の容器（１００）。
【請求項５】
前記表面模様（１４４）が前記皮膚接触部（１２６）の表面全体に及ぶ複数の開口を含み、前記パーソナルケア製品（１８０）が前記容器（１００）の前記本体（１０２）から供給される際にこれらの開口を通過することを特徴とする請求項４に記載の容器（１００）。
【請求項６】
前記表面模様（１４４）が凸部を含み、前記パーソナルケア製品（１８０）が前記本体（１０２）から供給される際に前記皮膚接触部（１２６）の該凸部のみに供給されることを特徴とする請求項４に記載の容器（１００）。
【請求項７】
前記パーソナルケア製品が液体のメークアップ組成物を含むことを特徴とする請求項１から請求項６の何れかに記載の容器（１００）。
【請求項８】
前記アプリケーター（１２４）の前記皮膚接触部（１２６）が回転可能なローラーを含むことを特徴とする請求項１から請求項７のいずれか一項に記載の容器（１００）。
【請求項９】
前記本体（１０２）は、前記パーソナルケア製品（１８０）を供給することができるように開閉可能であり、前記アプリケーター（１２４）を第１の位置までピボット回転させることにより前記本体（１０２）が開き、前記アプリケーター（１２４）を第２の位置までピボット回転させることにより前記本体（１０２）が閉じるように、前記アプリケーター（１２４）がピボット回転可能であることを特徴とする請求項１から請求項８のいずれか一項に記載の容器（１００）。
【請求項１０】
開かれると、前記パーソナルケア製品（１８０）を前記容器（１００）の前記本体（１０２）から押し出すことができ、かつ、閉じられると、前記パーソナルケア製品（１８０）が前記本体（１０２）から出ることを阻止する弁を更に含むことを特徴とする請求項１から請求項８のいずれか一項に記載の容器（１００）。
【請求項１１】
前記容器（１００）の前記本体（１０２）が可撓性弾性材料から形成され、前記本体（１０２）を絞ることによって前記パーソナルケア製品（１８０）を前記容器（１００）外へと付勢することを特徴とする請求項１から請求項８のいずれか一項に記載の容器（１００）。
【請求項１２】
前記第１の断面形状（１０４）及び前記第２の断面形状（１２８）の少なくとも一方が対称であることを特徴とする請求項１から請求項１１のいずれか一項に記載の容器（１００）。
【請求項１３】
前記皮膚接触部（１２６）が使用者の鼻と上唇との間に適合する大きさに設計されることを特徴とする請求項１から請求項１２のいずれか一項に記載の容器（１００）。
【発明の詳細な説明】
【技術分野】
【０００１】
本発明は、使用者の皮膚に液体パーソナルケア製品を塗布するための改善された容器に関する。
【背景技術】
【０００２】
液体パーソナルケア製品は、瓶、広口瓶、チューブ、及び缶などの多種多様な容器で入手可能である。製品がアプリケーターを通って流れる内蔵アプリケーター（built-in applicator）を有する市販の液体パーソナルケア製品は、ほとんどない。ある種のデオドラント化粧品のような一部の市販の製品は、製品を送達するためにローラーボールアプリケーター技術を採用している。しかしながら、化粧用ファンデーション及びローションなどの他のパーソナルケア製品は、従来、容器から手の中又はスポンジの上に供給されてから、皮膚に塗布される。しかしながら、この塗布方法は、非衛生的で、無駄が多く、かつ扱いが厄介であり得、塗布後の望ましくない手洗いにつながる可能性がある。
【０００３】
従来のアプリケーターは、典型的には、化粧用ファンデーション又はローションを顔全体に望ましく塗布するのに適していない。例えば、少なくともいくつかの従来型アプリケーターは、唇と鼻との間の領域といったより小さな皮膚領域上ではなく、頬及び額などの顔のより大きな領域上に製品を塗布するように、人間工学的に設計されている。しかし、人間工学的容器は、一般に円筒容器及び／又はアプリケーターと関連した直観的なアプリケーターの位置決めを提供することができない。その一方で、筒形のアプリケーターは、製品を顔のより小さな領域に塗布する好適な手段を提供できない場合がある。
【発明の概要】
【発明が解決しようとする課題】
【０００４】
したがって、適切な量の製品を皮膚に直接塗布することができる、皮膚に優しく供給する（skin-friendly dispensing）ための直観的な容器（intuitive package）を提供することが望ましいであろう。また、そのような容器を使用者の手により良く適合するように構成することも望ましいであろう。アプリケーターが動くごとに適切な量の製品を皮膚に送達するアプリケーターを提供することが、更に望ましいであろう。
【課題を解決するための手段】
【０００５】
前述の問題に対する解決策を提供するために、パーソナルケア製品を使用者の皮膚に塗布するための容器が、本明細書において開示される。容器は、パーソナルケア製品を収容及び供給するための本体を含む。本体は第１の断面形状を有し、かつ使用者の手によって把持可能である。容器はまた、本体の一端に結合されたアプリケーターを含む。アプリケーターは、筒形の皮膚接触部を含む。皮膚接触部は、第２の断面形状と表面模様とを有する。第１の断面形状及び第２の断面形状のそれぞれは、第１の軸線に沿って指向させた主寸法と、第２の軸線に沿って指向させた副寸法とを有する。主寸法は副寸法よりも大きい。この容器は、アプリケーターの反対側で前記本体に取り付けられるブレンド用具をさらに具える。
【図面の簡単な説明】
【０００６】
本明細書は、本発明を特に指摘し明確に請求する「特許請求の範囲」をもって結論とするが、本発明は、添付図面と併せてなされる以下の説明から一層理解されるであろうと考えられる。
【図１】容器の実施形態の斜視図。
【図２】図１に示される容器の底部の斜視図。
【図３ａ】図１に示される実施形態の正面図。
【図３ｂ】図１に示される実施形態の側面図。
【図３ｃ】容器の実施形態の正面図。
【図４ａ】断面形状の例。
【図４ｂ】断面形状の例。
【図４ｃ】断面形状の例。
【図４ｄ】断面形状の例。
【図４ｅ】断面形状の例。
【図４ｆ】断面形状の例。
【図４ｇ】断面形状の例。
【図５】図１に示される容器の底部の正面図。
【図６】容器の実施形態の正面図。
【図７】Ａ〜Ｒは皮膚接触部に適した模様の例。
【図８ａ】本明細書で用いるための容器の更なる例示的な実施形態。
【図８ｂ】本明細書で用いるための容器の更なる例示的な実施形態。
【図８ｃ】本明細書で用いるための容器の更なる例示的な実施形態。
【図８ｄ】本明細書で用いるための容器の更なる例示的な実施形態。
【発明を実施するための形態】
【０００７】
本明細書に記載される改善された容器は、例示的及び好ましい実施形態の以下の詳細な説明を参照することによって、更に容易に理解され得る。「特許請求の範囲」は本明細書に記載されている具体的な成分、方法、条件、装置、又はパラメータに限定されず、及び本明細書で使用される用語は特許請求される本発明を限定することを意図するものではないということを理解すべきである。また、添付の「特許請求の範囲」を包含する本明細書において使用されるとき、単数形「ａ」、「ａｎ」、及び「ｔｈｅ」は複数形を包含し、特定の数値への参照は、その文脈により特に明確に指示されていない限り、少なくともその特定の数値を包含する。
【０００８】
別段の指定がない限り、本明細書において使用する全ての百分率及び比率は、組成物全体の重量によるものであり、また、全ての測定は２５℃でなされるものとする。
【０００９】
本明細書に用いるのに好適な容器は、パーソナルケア製品がその中に配置された本体部分を含む。ある種の実施形態において、パーソナルケア製品は液体又は液状物の形態にある。可撓性弾性容器は当該技術分野において既知であり、典型的には、ある体積のパーソナルケア製品をアプリケーター又は皮膚接触部に付勢する圧力を容器本体に加えることによって（例えば、絞ることによって）変形可能である。ある種の実施形態では、容器は、使用者がパーソナルケア製品の流量を制御できるようにするために、弁を含んでもよい。本明細書の容器は、パーソナルケア製品を供給するための追加的な又は代替的な機構を含んでもよいことを理解されたい。既知の供給機構の非限定的な例としては、ポンプ、手動ポンプ、ねじ駆動ピストン又はロッド、エアゾールなどの加圧ガス、及びトリガーポンプが挙げられる。
【００１０】
ある種の実施形態において、容器は、容器の本体から供給されるパーソナルケア製品を受容し、かつこれを使用者の皮膚に塗布するためのアプリケーターを含んでもよい。アプリケーターの全部又は一部は、固定式又は可動式（例えば、ピボット回転可能、回転可能、取り外し可能、及び／又は再取り付け可能）であってもよい。アプリケーターは、パーソナルケア製品を使用者の皮膚に望ましく移送するための皮膚接触部を含む。皮膚接触部は、望ましい用途に応じて、固定式又は可動式であってもよい。皮膚接触部は、パーソナルケア製品を皮膚上に望ましいやり方で（例えば、むらなく、平らに、及び／又は自然な外見で）塗布するように構成される。例示的な実施形態において、アプリケーターの皮膚接触部はローラーを含み、このローラーは、軸線を中心に回転しながらパーソナルケア製品を供給する。この例では、皮膚接触部は、パーソナルケア製品をその表面上に受容し（例えば、ローラーが回転するとき、パーソナルケア組成物がローラーの表面と接触するようにローラーとごく接近して配置された別個のリザーバを介して受動的に、本体と液体連通するチャネルを通るローラーの表面の開口部を介して、及び／又はパーソナルケア組成物を本体からローラーの表面上に直接能動的に押し出すことによって）、回転によってパーソナルケア製品を皮膚に付着させる。別の例示的な実施形態では、アプリケーターは配量システム（dosing system）を含んでもよく、その場合、パーソナルケア製品は、 固定された皮膚接触部の中心を通って配量され、かつ開口を出る（多孔質発泡体若しくはスポンジの皮膚接触部を通って、又は心棒を通る穴を有する中実の皮膚接触部を介して）。
【００１１】
皮膚接触部は、その上に模様を有する表面を含んでもよい。模様は、１つ以上の同じ又は異なる表面造作によって形成されてもよい。表面造作は、同じ又は異なる寸法、種類（例えば、凸部か凹部か開口）、又は形状（例えば、楕円形、円形、ひし形、正方形）であってもよい。表面造作は、使用者の皮膚へのパーソナルケア製品の移送及び／又は塗布を容易にするよう構成されるように選択され得る。本明細書で用いるのに特に適した表面造作の例は、以下により詳細に記述される。
【００１２】
容器は、ダブルエンド型（dual-ended）又はシングルエンド型（single-ended）で供給するように構成され得る。ダブルエンド型の供給アプリケーターは、一方の末端部の小さな皮膚接触部と他方の末端部のより大きな皮膚接触部とが求められる状況に適し得る。ダブルエンド型の供給では、ダブルエンド型の供給アプリケーターを通って供給され得る２種類以上のパーソナルケア製品（例えば、化粧下地とファンデーション又はスキンクリーナーとスキンモイスチャー）を含む容器を提供することが望ましい場合がある。ある種の実施形態において、容器の本体は、第１の末端部と、第１の末端部と対向する第２の末端部とを含み得る。第１の末端部はアプリケーターと関連皮膚接触部とを含んでもよく、対向する第２の末端部はこの末端部に結合されるブレンド用具（blending tool）含む。ブレンド用具を使用して、パーソナルケア製品を混合、供給、又は皮膚上に塗り広げることができる。
【００１３】
図１〜図４は、本明細書に用いるのに好適な容器１００の例示的な実施形態を示す。図１に示されるように、容器１００は、パーソナルケア製品１８０（例えば、スキンケア組成物、下地若しくはファンデーションなどの化粧品組成物、及び／又はこれらの組み合わせ）を受容する、収容する及び／又は供給するための本体１０２を含む。容器１００の本体１０２は、パーソナルケア製品を収容するためのリザーバ又は同様の収容スペースを含む。容器１００の本体１０２は、例えば、人間工学的形状を有することによって、使用者の手で把持し易くなるように構成される。容器１００の本体１０２は、第１の軸線に沿って指向させた主寸法１０６、及び第２の軸線に沿って指向させた同一平面上の副寸法１０８によって少なくとも一部分において画定される断面形状１０４を有する。図１に示される本体１０２の断面の形状はほぼ楕円形に見えるが、使用者の手によって容易に把持可能である限り、あらゆる好適な断面形状を用いることができることを理解すべきである。容器１００の本体１０２は、好適な天然又は合成材料、例えば、高密度ポリエチレン（「ＨＤＰＥ」）、低密度ポリエチレン（「ＬＤＰＥ」）、ポリエチレンテレフタレート（「ＰＥＴ」）、ポリプロピレン（「ＰＰ」）、ポリ塩化ビニル、ポリカーボネート、ナイロン、及びフッ素化エチレンプロピレンなどで形成され得る。ある種の実施形態では、本体１０２は、可撓性又は柔軟な材料から形成されるのが望ましくあり得る。本体１０２は、吹込み成形、射出成形など、当該技術分野において既知の多くの方法によって作製され得る。本体１０２は、所望通り、透明、半透明、又は不透明であってもよい。別の方法としては又はこれに加えて、本体１０２は、かかる材料の組み合わせから形成されてもよい。例えば、本体１０２は、その中に収容されているパーソナルケア製品の特定の特性を表示するために、透明部分を含んでもよい。ある種の実施形態では、製品が特定の望ましい特性を有しているという言葉を使わない手がかり（例えば、敏感さを示す白色は又は複数利益を示す渦巻模様）を潜在的消費者に提供するために、パーソナルケア製品１８０の特定の色、質感、及び／又は模様を表示させるのが望ましい場合がある。
【００１４】
容器１００は、アプリケーター１２４とブレンド用具１５４とを含んでもよい。アプリケーター１２４は、当該技術分野において既知である任意の好適な手段（例えば、ねじ、スナップ嵌めカラーなど）によって、本体１０２に取り付けられることができる。ある種の実施形態では、アプリケーター１２４は本体１０２と一体型であってもよい（即ち、アプリケーターは製造時に本体に組み付けられ、製品耐用期間中に消費者により取り外されることが意図されていない）。ある種の実施形態では、アプリケーター１２４は、例えば、洗浄又は別のアプリケーター１２４と交換するために、本体１０２に取り外し可能に取り付けられてもよい（即ち、アプリケーターは製造時に本体に組み付けられても、又は組み付けられなくてもよく、また、製品耐用期間中に、容器にその意図される機能を損なうであろう損傷を与えることなく、消費者によって取り外し可能であることが意図されている）。ある種の実施形態では、使用者が大量の製品を本体１０２から直接供給できるようにするために、アプリケーター１２４を取り外すことができる。アプリケーター１２４は、本体１０２に対して固定されていてもよく、又はピボット回転可能であってもよい。固定位置にある場合、容器１００は、製品の供給を開始及び停止するための好適な開閉機構（例えば、レバー、スイッチ、又は弁）を含むのが望ましい。アプリケーター１０２の位置が固定されていない場合には、使用者が製品の供給を開始及び停止できるようにするために、アプリケーター１２４の位置を変えることができる。例えば、アプリケーター１０２は、断面１０４の面に対して平行な面内でピボット回転するように構成されてもよく、それにより、アプリケーター１０２が特定量（例えば、１〜３６０度又は１〜１８０度）ピボット回転される際にそこを通ってパーソナルケア製品１８０が供給され得る開口部が提供される。アプリケーターが以前の位置にピボット回転して戻る際及び／又はアプリケーターが更にピボット回転される際に（例えば、更に１〜１８０度）、開口部は閉じられる。これに加えて、又はこれに代えて、アプリケーターは、他の位置までピボット回転して開口部の寸法及び／又は形状を変化させ、それによってパーソナルケア製品が供給される割合を制御するように構成されてもよい。
【００１５】
容器は、ゴム又は同様の材料から作製される逆止め弁を含んでもよく、この逆止め弁は、パーソナルケア組成物１８０に対して実質的に不浸透性である。逆止め弁は、例えば、本体１０２の収容スペースと、アプリケーター１２４の皮膚接触部との間に位置付けられてもよい。逆止め弁は、容器１００の本体１０２を絞ることによって開けられ、それによってパーソナルケア製品１８０が逆止め弁を貫流することができるように、また絞り圧が除去される際に閉じられるように構成されてもよい。
【００１６】
図２に示されるように、アプリケーター１２４は、断面形状１２８を有する皮膚接触部１２６を含む。皮膚接触部の断面形状１２８は、少なくとも部分的に、第１の軸線に沿って指向させた主寸法１３０と、第２の軸線に沿って指向させた同一平面上の副寸法１３２とによって画定される。アプリケーター１０２は、塗布される製品の量及び間隔を制御するように構成され得る。例えば、皮膚接触部１２６の少なくとも一部は、使用者の鼻と上唇との間に適合するように設計され得る。したがって、皮膚接触部１２６の副寸法１３２は、１．９ｃｍ又は更には１．２５ｃｍ以下であってもよい。別の方法としては又はこれに加えて、皮膚接触部１２６の主寸法１３０は、３．８ｃｍ以下であってもよい。皮膚接触部１２６は、所望通り、筒形状、球形状、又は好適な他の形状であってもよい。皮膚接触部１２６に適した材料としては、ゴムと、スポンジと、フェルトと、布と、ウィッキング繊維と、フロッキング（flocking）と、これらの組み合わせが挙げられる。例えば、皮膚接触部は、周知の熱可塑性エラストマー（「ＴＰＥ」）などの柔らかくて柔軟な材料から形成される筒形ローラーとして構成されてもよい。
【００１７】
容器１００は、必要に応じて、パーソナルケア組成物が皮膚に塗布された後にこれをうまく処理する（例えば、パーソナルケア組成物を平らにする、塗り広げる、及び／又はパーソナルケア組成物を同じ又は他のパーソナルケア組成物と混合する）ためのブレンド用具１５４を含んでもよい。ブレンド用具１５４は、本体１０２の、アプリケーター１２４の反対側に、例えば、ねじ、スナップ嵌めカラーなどの当該技術分野において既知の任意の好適な手段によって取り付けられてもよい。ブレンド用具１５４は、本体１０２に取り外し可能に取り付けられてもよく、それにより、使用者はブレンド用具１５４を取り外して、ブレンド用具１５４を洗浄する又はブレンド用具１５４を新しい又は異なるブレンド用具１５４と取り換えることができる。ある種の実施形態では、容器１００からのパーソナルケア製品の大量の供給を可能にするために、ブレンド用具１５４を取り外すことができる。ブレンド用具１５４は、液体パーソナルケア製品を混合、供給、又は塗り広げるのに好適な複数のブラシ毛、塗りはけ、スポンジ、へちまスポンジ、シャワーパフ、マッサージ器、又は他の同様の器具を含んでもよい。例えば、ブレンド用具１５４は、ゴム、ＴＰＥ、スポンジ、これらの組み合わせ等などの可撓性及び／又は柔らかい材料から作製され得る。水、イソプロピルアルコール、又はアセトンなどの好適な溶媒ですすぎ洗いできる材料からブレンド用具を作製するのが望ましい場合がある。
【００１８】
図３ａ及び図３ｂは、皮膚接触部１２６の対応の主寸法１３０及び副寸法１３２と実質的に整列されている、本体１０２の主寸法１０６及び副寸法１０８を示す。しかしながら、図３ｃに示されるようなある種の実施形態では、本体１０２の主寸法１０６は、皮膚接触部１２６の副寸法１３２と一致する。図１及び図２は、垂直に整列された本体１０２の断面形状１０４及び皮膚接触部１２６の断面形状１２８を示しているが、断面形状１０４及び１２８は必ずしも垂直整列である必要はないことを理解されたい。例えば、皮膚接触部１２６は本体１０２の上方に垂直に位置付けられておらず、むしろ本体１０２の側面から外方に広がるように、皮膚接触部１２６を本体１０２からオフセットさせてもよい。皮膚接触部１２６は、本体の長手方向寸法に対して特定の角度で固定されてもよく、又は調整可能であってもよい。本体１０２及び／又はアプリケーター１２４の断面形状１０４及び／又は１２８はそれぞれ、図４ａ〜図４ｇに示されるような種々の異なる形状であってもよい。形状１０４及び１２８は、実質的に同一か又は異なっていてもよい。例えば、本体１０２の断面形状１０４は楕円形状に似ていてもよく、皮膚接触部の断面形状１２８は涙のしずくの形になっていてもよい。ある種の実施形態において、容器１００は、２つを超える異なる断面形状を有してもよい。
【００１９】
図５は、アプリケーター１２４の例示的な実施形態を示す。図のように、皮膚接触部１２６は、アプリケーター基部１３８から第１の距離１３４だけ離間している第１の部分と、アプリケーター基部１３８から第２の距離１３６だけ離間している第２の部分とを含む。第１の距離１３４が第２の距離１３６より長くなるように（あるいは逆もまた同様）構成するのが望ましい場合がある。ある種の実施形態において、皮膚接触部１２６は、アプリケーター基部１３８から３つの異なる距離だけ離間している３箇所以上の部分を、様々な区域に含んでもよい。アプリケーター１２４は、容器１００の本体１０２から下向きに延びる２つ以上のアーム１４０を含んでもよい。アーム１４０は、それらの間に皮膚接触部１２６を収容し、かつ皮膚接触部１２６を容器１００の他の部分（例えば、本体１０２）に結合するように構成され得る。アーム１４０は、図５に示されるようなディボットを形成するように丸みをつけられてもよく、本体１０２とぴったり重なっていてもよい。皮膚接触部１２６は、心棒、１つ以上のピン、又はローラーと２つ以上のアームとを結合するのに適したその他の任意の既知の手段によって、アーム１４０の一方又は両方に結合され得る。アーム１４０、及び必要に応じて、心棒又は他の結合手段は、本体１０２を皮膚接触部１２６と液体連通状態で設置するためのチャネルなどを含んでもよい。
【００２０】
皮膚接触部１２６は、その表面に模様１４４を有する。模様１４４は、不連続なドット、ライン、及び／若しくは形状；連続マトリックス；並びに／又はこれらの組み合わせの形態であってもよい。皮膚接触部１２６上の模様は、パーソナルケア製品１８０が皮膚に塗布されたる際に皮膚上に対応する模様を生成する。模様１４４は、皮膚に製品の不連続膜を送達して、自然な外見のカバー力（coverage）をもたらすように構成され得る。模様１４４は、皮膚接触部１２６の表面全体に及ぶ開口を提供することによって形成され得る。別の方法としては又はこれに加えて、模様１４４は、皮膚接触部１２６の表面上に配置された凹部及び／又は凸部から形成され得る。ある種の実施形態において、容器１００の中に配置されたパーソナルケア製品１８０は、供給及び塗布中に、模様１４４の開口を通って皮膚接触部１２６の表面上に流れることができる。ある種の実施形態では、（例えば、模様１４４が皮膚接触部１２６の表面上の凸部を含む場合）、この凸部領域は、例えば、皮膚接触部の表面とごく接近して配置されたトラフ又はトレイからパーソナルケア製品１８０を持ち上げるように構成され得る。皮膚接触表面がその表面上に配置された凹部を含む実施形態では、パーソナルケア製品１８０は凹部内に堆積され、その後使用者の皮膚に移送されることができる。
【００２１】
皮膚接触部１２６上で用いる例示的な表面模様１４４が、図７Ａ〜図７Ｒに示されている。皮膚接触部１２６上の、模様１４４を形成する表面造作の形状は、当該技術分野において既知である任意の好適な形状から選択され得る。例えば、表面造作は、中心が浅く外周部の周りが深いドーナツ形状の窪み（即ち、凹部）を含み得る。その他の例示的な形状としては、星形、正方形などが挙げられる。皮膚接触部１２６は、同一若しくは異なる模様を含む２つ以上の区域を含むように構成されてもよく、及び／又は同一若しくは異なる材料から形成される。各区域は、模様及び／又は部分を形成するのに使用される材料に基づいて、２つ以上の異なる部分に更に細分されてもよい。例えば、皮膚接触部１２６は、表面上に不連続なドット模様を有する、比較的柔らかくて柔軟な材料から形成された第１の区域と、表面上に模様を有さない、比較的柔らかくて吸収性の材料から形成された第２の区域とを含み得る。別の例では、皮膚接触部１２６全体は同じ材料から形成されてもよいが、凹状表面造作及び／又は突出した表面造作を有する第１の区域と、開口を有する第２の区域とを有してもよい。更に別の例では、皮膚接触部１２６は、第１の距離だけ互いに離間した２つの形の異なる開口を有する第１の区域と、第１の区域と同じ形状の開口であるが、第１の距離よりも大きな第２の距離だけ離間した第２の区域とを含んでもよい。この例では、２つの開口間の距離は、２つの隣接する開口の中心間の最短直線距離である。
【００２２】
図６は、１つ以上のキャップ１７６及び１７８を備える容器１００の例示的な実施形態を示す。キャップ１７６及び／又は１７８は、アプリケーター１２４及び／又はブレンド用具１５４を覆うために設けられてもよい。キャップ１７６、１７８は、アプリケーター１２４及び／又はブレンド用具１５４の損傷又は変形を阻止し、パーソナルケア製品１８０を受容することが意図されている表面以外の表面と接触する及び／若しくはその表面を汚損する可能性を低減し、並びに／又はパーソナルケア製品１８０からの水分蒸散を阻止するのを助けることができる。ある種の実施形態において、キャップ１７６、１７８は、購入後に消費者によって取り外されかつ破棄されることが意図される一時的な覆いとして提供されてもよい。あるいは、キャップ１７６及び／又は１７８は、パーソナルケア製品１８０及び／又は容器１００の意図する耐用期間にわたって再使用可能であるように、再取り付け可能であってもよい。
【００２３】
本明細書に用いるのに好適なパーソナルケア製品は、例えばブラシで塗布可能なジェル及びクリーム、非発泡性液体、機械的にポンピング可能な液体、非エアゾールジェル、エアゾールジェル、泡状エアゾール、ペースト、セラム、並びにスプレーなどの、様々な製品形態で提供され得る。
【実施例】
【００２４】
実施例Ｉ：多色（multichromatic）液体ファンデーションを以下の通りに調製する。
【００２５】
【表１】
0005635630.tif 000002
*1  染色ゲルは、６０マイクロメートルの平均粒子寸法を有する顔料（二酸化チタン及び酸化鉄）１０％と、ポリマー約１２％と、シクロメチコン流体７８％とを含む。
*2  Ｖａｎｄｅｒｂｉｌｔより供給。
【００２６】
好適な容器の中に、水、グリセリン、ＥＤＴＡ二ナトリウム、及びベンジルアルコールを加え、透明な水相が得られるまで従来の技術を用いて混合する。水相が透明になったらメチルパラベンを加え、透明になるまで再度混合する。次いで、ポリアクリル酸アンモニウム、二酸化チタン、及び酸化鉄を加え、混合して分散させる。得られた相を、Ｓｉｌｖｅｒｓｏｎ  ＳＬ２Ｔ又は類似の機器により高速（８，０００ｒｐｍ、標準ヘッド）で混合し、顔料を完全に解凝集する。別の容器に、ＫＳＧ２１、疎水性二酸化チタン及び酸化鉄、ＤＣ２４５、並びにパラベンを加える。均質になるまでＳｉｌｖｅｒｓｏｎを高速で用いてこの混合物を粉砕する。次に、染色水相及び染色シリコーン相を混ぜ合わせ、Ｓｉｌｖｅｒｓｏｎを高速で使用して、水が完全に組み込まれエマルションが形成されるまで粉砕する。最後に、二酸化チタン及び酸化鉄の混合物と色が有意に異なるように染色ゲルを選択する。次にこれを加えて、生成物をＳｉｌｖｅｒｓｏｎを高速で用いて再度混合する。次いで、得られた多色最終製品を適切な容器に入れる。
【００２７】
実施例ＩＩ：スキンケア組成物を以下の通りに調製する。
【００２８】
【表２】
0005635630.tif 000003
*1  Ｓｅｄｅｒｍａ，Ｉｎｃ．（Ｅｄｉｓｏｎ，ＮＪ）製のアンチエイジングペプチド溶液。
*2  Ｎｏｖｅｏｎ  Ｃｏｎｓｕｍｅｒ  Ｓｐｅｃｉａｌｔｉｅｓ（Ｃｌｅｖｅｌａｎｄ，ＯＨ）製のＡｃｒｙｌａｔｅｓ／Ｃ１０〜３０アルキルアクリレートクロスポリマー。
*3  ＳＥＰＰＩＣ，Ｉｎｃ．（Ｆａｉｒｆｉｅｌｄ，ＮＪ）製のポリアクリルアミド及びＣ１３〜１４イソパラフィン及びラウレス−７。
*4  ＳＥＰＰＩＣ，Ｉｎｃ．（Ｆａｉｒｆｉｅｌｄ，ＮＪ）製のアクリル酸ヒドロキシエチル／アクリロイルジメチルタウリンＮａコポリマー及びイソヘキサデカン並びにポリソルビン酸６０。
*5  ＳＥＰＰＩＣ，Ｉｎｃ．（Ｆａｉｒｆｉｅｌｄ，ＮＪ）製のアクリル酸ナトリウム／アクリロイルジメチルタウリンＮａコポリマー及びイソヘキサデカン並びにポリソルビン酸８０。
*6  ＳＥＰＰＩＣ，Ｉｎｃ．（Ｆａｉｒｆｉｅｌｄ，ＮＪ）製のアクリル酸ヒドロキシエチル／アクリロイルジメチルタウリンＮａコポリマー及びイソヘキサデカン並びにポリソルビン酸６０。
*7  ＣＰ  Ｋｅｌｃｏ（Ｓａｎ  Ｄｉｅｇｏ，ＣＡ）製のミクロ繊維化セルロース、キサンタンガム、及びカルボキシメチルセルロースナトリウムの混合物。
*8  ＥＭＤ  Ｃｈｅｍｉｃａｌｓ，Ｉｎｃ．（Ｇｉｂｂｓｔｏｗｎ，ＮＪ）製の酸化鉄、四三酸化鉄、及び二酸化チタンでコーティングされた雲母。
【００２９】
相Ａ材料を容器の中で混合する。相Ｂ材料を別の容器の中で混合する。相Ｂを相Ａに混ぜ合わせる。相Ａと相Ｂとを混合した後に小板状体粒子を加える。
【００３０】
本明細書に開示される寸法及び値は、列挙された正確な数値に厳しく制限されるものとして理解されるべきでない。それよりむしろ、特に指定されない限り、そのような各寸法は、列挙された値とその値周辺の機能的に同等の範囲との両方を意味することを意図する。例えば、「４０ｍｍ」として開示した寸法は、「約４０ｍｍ」を意味することを意図したものである。
【００３１】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更には、本文書における用語のいずれかの意味又は定義が、援用文献における同一の用語のいずれかの意味又は定義と相反する限りにおいて、本文書においてその用語に与えられた意味又は定義を優先するものとする。
【００３２】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の「特許請求の範囲」で扱うものとする。
【図１】
0005635630.tif 000004
【図２】
0005635630.tif 000005
【図３ａ】
0005635630.tif 000006
【図３ｂ】
0005635630.tif 000007
【図３ｃ】
0005635630.tif 000008
【図４ａ】
0005635630.tif 000009
【図４ｂ】
0005635630.tif 000010
【図４ｃ】
0005635630.tif 000011
【図４ｄ】
0005635630.tif 000012
【図４ｅ】
0005635630.tif 000013
【図４ｆ】
0005635630.tif 000014
【図４ｇ】
0005635630.tif 000015
【図５】
0005635630.tif 000016
【図６】
0005635630.tif 000017
【図７】
0005635630.tif 000018
【図８ａ】
0005635630.tif 000019
【図８ｂ】
0005635630.tif 000020
【図８ｃ】
0005635630.tif 000021
【図８ｄ】
0005635630.tif 000022